(57)【要約】【課題】  電子機器の充電状態を確認する第２制御部と、第２制御部の動作状態を制御する第１制御部とを備え、電子機器の充電中における第１制御部の消費電力を低減すること。【解決手段】  第１制御部は、電子機器が充電中のときに、通常は低消費電力状態を継続し、所定時間毎に、低消費電力状態から通常状態に移行し、第２制御部に電子機器の充電状態を確認する指示を送信する。第２制御部は、電子機器の充電状態を確認し、充電状態情報を第１制御部に返信する。第１制御部は、電子機器が未だ充電中である場合には、通常状態から低消費電力状態に移行する。電子機器が充電完了している場合には、第２制御部に低消費電力状態に移行する指示を送信した後に、低消費電力状態に移行する。【選択図】図２
2011014126.tif 000002
【特許請求の範囲】
【請求項１】
第１制御部と第２制御部とを備え、電子機器の充電状態を判別する状態判別装置であって、
前記第１制御部、及び、前記第２制御部が、動作状態として通常状態と低消費電力状態とを有し、
前記第１制御部が、
前記電子機器が未だ充電中であると判断されたために通常状態から低消費電力状態に移行してから所定時間が経過したか否かを判断する手段と、
所定時間が経過したとき、低消費電力状態から通常状態に移行する手段と、
通常状態において、前記第２制御部に前記電子機器の充電状態を確認する指示を送信する手段と、
前記第２制御部から返信された充電状態情報に基づいて、前記電子機器が充電完了しているか否かを判断する手段と、
前記電子機器が未だ充電中であると判断した場合には、通常状態から低消費電力状態に移行する手段と、
前記電子機器が充電完了していると判断した場合には、前記第２制御部に低消費電力状態に移行する指示を送信した後に、低消費電力状態に移行する手段とを有し、
前記第２制御部が、
通常状態において、前記第１制御部からの前記電子機器の充電状態を確認する指示に応答して、前記電子機器の充電状態を確認し、充電状態情報を前記第１制御部に返信する手段と、
前記第１制御部からの低消費電力状態に移行する指示に応答して、通常状態から低消費電力状態に移行する手段とを有する、状態判別装置。
【請求項２】
前記第２制御部が、前記電子機器の現在の充電済の充電量に関する情報である充電情報を確認し、前記第１制御部に返信し、
前記第１制御部が、前記第２制御部から受信した前記充電情報に基づいて前記所定時間を決定する手段をさらに有する、請求項１に記載の状態判別装置。
【発明の詳細な説明】
【技術分野】
【０００１】
本発明は、電子機器の充電状態を判別する状態判別装置に関する。
【背景技術】
【０００２】
現在、ＨＤＤ又はフラッシュメモリを備えた携帯型プレーヤが普及している。携帯型プレーヤはバッテリ部を備えており、充電装置に接続されることにより、充電装置から電源電圧が供給され、バッテリ部が充電される。充電装置は、メインマイコンとサブマイコンとを備える。メインマイコンは、サブマイコンの動作状態を制御する等、充電装置の各部を制御する。サブマイコンは、携帯型プレーヤのマイコンと通信する。メインマイコン及びサブマイコンは、動作状態として、通常状態と低消費電力状態とを有している。通常状態は、メインマイコン及びサブマイコンが動作を実行可能な状態である。低消費電力状態は、メインマイコン及びサブマイコンが動作を停止することにより、消費電力を低減させた状態である。サブマイコンは、メインマイコンからの指示に応じて、通常状態又は低消費電力状態に移行する。
【０００３】
携帯型プレーヤが充電中の時には、メインマイコン及びサブマイコンは通常状態を継続しているので、メインマイコンの消費電力を低減することができない。つまり、メインマイコンは、携帯型プレーヤが充電中の間、通常状態を継続し、携帯型プレーヤが未だ充電中であるか、又は、充電完了したかを判別し、その結果に応じて、充電装置の電源回路を制御したり、サブマイコンの動作状態を制御する必要があるからである。
【０００４】
詳細には、携帯型プレーヤが充電中の間、メインマイコンは、サブマイコンに所定時間毎に携帯型プレーヤの充電状態を確認する指示を送信する。サブマイコンは、メインマイコンからの指示に応じて携帯型プレーヤのマイコンと通信することにより、携帯型プレーヤの充電状態を確認し、メインマイコンに充電状態情報を返信する。携帯型プレーヤが充電完了した際には、メインマイコンは、サブマイコンに低消費電力状態に移行する指示を送信し、自身も低消費電力状態に移行する。携帯型プレーヤの充電状態を確認するために、携帯型プレーヤと通信する必要がないからである。サブマイコンは、メインマイコンからの指示に応じて通常状態から低消費電力状態に移行する。以上のように、携帯型プレーヤが充電中の間は、メインマイコン及びサブマイコンが通常状態であるので、消費電力を低減することができないという問題がある。
【先行技術文献】
【特許文献】
【０００５】
【特許文献１】特開２００６−１９０２２４号公報
【発明の概要】
【発明が解決しようとする課題】
【０００６】
本発明は上記従来の課題を解決するためになされたものであり、その目的は、電子機器の充電状態を確認する第２制御部と、第２制御部の動作状態を制御する第１制御部とを備え、電子機器の充電中における第１制御部の消費電力を低減することができる状態判別装置を提供することである。
【課題を解決するための手段】
【０００７】
本発明の好ましい実施形態による状態判別装置は、第１制御部と第２制御部とを備え、電子機器の充電状態を判別する状態判別装置であって、前記第１制御部、及び、前記第２制御部が、動作状態として通常状態と低消費電力状態とを有し、前記第１制御部が、前記電子機器が未だ充電中であると判断されたために通常状態から低消費電力状態に移行してから所定時間が経過したか否かを判断する手段と、所定時間が経過したとき、低消費電力状態から通常状態に移行する手段と、通常状態において、前記第２制御部に前記電子機器の充電状態を確認する指示を送信する手段と、前記第２制御部から返信された充電状態情報に基づいて、前記電子機器が充電完了しているか否かを判断する手段と、前記電子機器が未だ充電中であると判断した場合には、通常状態から低消費電力状態に移行する手段と、前記電子機器が充電完了していると判断した場合には、前記第２制御部に低消費電力状態に移行する指示を送信した後に、低消費電力状態に移行する手段とを有し、前記第２制御部が、通常状態において、前記第１制御部からの前記電子機器の充電状態を確認する指示に応答して、前記電子機器の充電状態を確認し、充電状態情報を前記第１制御部に返信する手段と、前記第１制御部からの低消費電力状態に移行する指示に応答して、通常状態から低消費電力状態に移行する手段とを有する。
【０００８】
好ましい実施形態においては、前記第２制御部が、前記電子機器の現在の充電済の充電量に関する情報である充電情報を確認し、前記第１制御部に返信し、前記第１制御部が、前記第２制御部から受信した前記充電情報に基づいて前記所定時間を決定する手段をさらに有する。
【発明の効果】
【０００９】
本発明によると、電子機器が充電中においては、第１制御部は通常は低消費電力状態であり、所定時間毎に、通常状態に移行し、電子機器の充電状態を、第２制御部を介して判別し、未だ充電中であれば、再び低消費電力状態に戻る動作を繰り返す。従って、電子機器が充電中において、第１制御部の消費電力を低減することができる。
【図面の簡単な説明】
【００１０】
【図１】本発明の好ましい実施形態による充電装置１及び携帯型プレーヤ１１を示すブロック図である。
【図２】メインマイコン２及びサブマイコン３の処理を示すフローチャートである。
【図３】所定時間テーブルを示す図である。
【図４】メインマイコン２及びサブマイコン３の処理を示すフローチャートである。
【発明を実施するための形態】
【００１１】
以下、本発明の好ましい実施形態について、図面を参照して具体的に説明するが、本発明はこれらの実施形態には限定されない。図１は、本発明の好ましい実施形態による状態判別装置が適用される充電装置１と、携帯型プレーヤ（電子機器、コンテンツ再生装置）１１とを示すブロック図である。
【００１２】
充電装置１は、携帯型プレーヤ１１に電源電圧を供給することにより、携帯型プレーヤ１１のバッテリ部１７を充電する。充電装置１は、メインマイコン２と、サブマイコン３と、ＲＡＭ４と、ＲＯＭ５と、通信部６と、接続部７と、電源回路８と、電源供給回路９とを概略備える。メインマイコン（第１制御部）２とサブマイコン（第２制御部）３とによって本発明の状態判別装置が構成される。
【００１３】
メインマイコン２は、充電装置１の各部を制御するものであり、ＲＯＭ５に格納されたメインマイコン２のプログラムをＲＡＭ４に展開して実行することにより、後述の各処理を実行する。また、メインマイコン２は、サブマイコン３の動作状態を制御する。つまり、メインマイコン２は、サブマイコン３に、通常状態に移行する指示、又は、低消費電力状態に移行する指示を送信する。また、メインマイコン２は、サブマイコン３に、携帯型プレーヤ１１の充電状態を確認する指示を送信する。
【００１４】
メインマイコン２及びサブマイコン３の動作状態について説明する。動作状態には、通常状態と低消費電力状態とが存在する。通常状態は、メインマイコン２又はサブマイコン３が動作を実行可能な状態であり、例えば、マイコン内において図示しない発振回路からメイン回路にクロックが供給されている状態である。
【００１５】
低消費電力状態は、メインマイコン２又はサブマイコン３が動作を停止することにより、消費電力を通常状態よりも低減させた状態である。低消費電力状態は、例えば、マイコン内において図示しない発振回路からメイン回路にクロックが供給されない状態である。
【００１６】
携帯型プレーヤ１１が充電中の間、メインマイコン２は、通常状態と、低消費電力状態とを繰り返す間欠動作を実行する。詳細には、メインマイコン２は、携帯型プレーヤ１１の充電中の間、通常は低消費電力状態であるが、所定時間（例えば１０秒）毎に低消費電力状態から通常状態に移行し、サブマイコン３に、携帯型プレーヤ１１の充電状態を確認するように指示する。そして、メインマイコン２は、サブマイコン３から携帯型プレーヤ１１の充電状態情報を受信し、携帯型プレーヤ１１が未だ充電中であれば、低消費電力状態に戻る。その後、再度所定時間経過後に、上記の処理を繰り返す。一方、メインマイコン２は、サブマイコン３から携帯型プレーヤ１１の充電状態情報を受信し、携帯型プレーヤ１１が充電完了していれば、サブマイコン３に低消費電力状態に移行する指示を送信した後に、自らも低消費電力状態に移行する。以上の処理により、携帯型プレーヤ１１が充電中の間、メインマイコン２は大半が低消費電力状態であるので、消費電力を低減することができる。
【００１７】
メインマイコン２は、充電装置１の接続部７に、携帯型プレーヤ１１の接続部２０が接続されたか否かを監視しており、接続を検出した際に、携帯型プレーヤ１１に充電電圧を供給するように電源供給回路９及び電源回路８を制御する。また、メインマイコン２は、携帯型プレーヤ１１が充電完了したことを判別した際に、携帯型プレーヤ１１に充電電圧を供給しないように電源供給回路９及び電源回路８を制御する。
【００１８】
サブマイコン３は、携帯型プレーヤ１１のマイコン１２と通信する。詳細には、サブマイコン３は、メインマイコン２から携帯型プレーヤ１１の充電状態を確認する指示を受信した際に、携帯型プレーヤ１１のマイコン１２に充電状態（充電中、又は、充電完了）を問い合わせる。サブマイコン２は、携帯型プレーヤ１２のマイコン１２から充電状態情報を受信すると、充電状態情報をメインマイコン２に返信する。すなわち、携帯型プレーヤ１１が充電中の間、所定時間毎にメインマイコン２から充電状態を確認する指示が送信されるので、その都度、サブマイコン２は、携帯型プレーヤ１１のマイコン１２に充電状態情報を問い合わせ、充電状態情報をメインマイコン２に返信する。
【００１９】
サブマイコン３は、自ら動作状態を変更することができず、メインマイコン２からの指示に応じて動作状態を変更する。すなわち、サブマイコン３は、メインマイコン２から、低消費電力状態に移行する指示を受信した際に、その指示に応答して通常状態から低消費電力状態に移行する。同様に、サブマイコン３は、メインマイコン２から、通常状態に移行する指示を受信した際に、その指示に応答して低消費電力状態から通常状態に移行する。
【００２０】
詳細には、携帯型プレーヤ１１の充電中には、サブマイコン３は、携帯型プレーヤ１１が充電中である旨の充電状態情報をメインマイコン２に返信するので、メインマイコン２からは低消費電力状態に移行する指示が送信されない。従って、サブマイコン３は、携帯型プレーヤ１１の充電中には、通常状態を継続する。一方、携帯型プレーヤ１１が充電完了したときには、サブマイコン３は、携帯型プレーヤ１１が充電完了した旨を示す充電状態情報をメインマイコン２に返信するので、メインマイコン２から低消費電力状態に移行する指示が送信される。従って、携帯型プレーヤ１１が充電完了した後には、サブマイコン３は低消費電力状態に移行する。
【００２１】
通信部６は、携帯型プレーヤ１１の通信部１５と通信するインターフェースであり、サブマイコン３からの指示及び情報を、携帯型プレーヤ１１の通信部１５に送信し、又、携帯型プレーヤ１１のマイコン１２からの指示及び情報を、サブマイコン３に供給する。
【００２２】
接続部７は、携帯型プレーヤ１１の接続部２０と接続するためのコネクタである。接続部７は、サブマイコン３及びマイコン１２間の制御信号を、接続部２０との間で送受信する。また、接続部７は、電源回路８によって生成される充電電圧を接続部２０に供給する。
【００２３】
電源回路８は、商用交流電源電圧から充電電圧を生成し、電源供給回路９に供給する。電源供給回路９は、電源回路８からの充電電圧を、接続部７を介して携帯型プレーヤ１１に供給する。
【００２４】
携帯型プレーヤ１１は、ＨＤＤ１８に格納されているコンテンツ（例えば音楽データや映像データ等）が再生部１９によって読み出され、再生される。携帯型プレーヤ１１は、マイコン１２と、ＲＡＭ１３と、ＲＯＭ１４と、通信部１５と、電源制御回路１６と、バッテリ部１７と、ＨＤＤ１８と、再生部１９とを概略備える。
【００２５】
マイコン１２は、携帯型プレーヤ１１の各部を制御するものであり、ＲＯＭ１４に格納されたプログラムをＲＡＭ１３に展開して実行することにより、各処理を実行する。マイコン１２は、バッテリ部１７の充電状態（充電中、又は、充電完了）を常時確認する。マイコン１２は、充電装置１のサブマイコン３から充電状態の問い合わせを受信すると、充電状態情報（充電中、又は、充電完了）をサブマイコン３に返信する。
【００２６】
通信部１５は、充電装置１の通信部６と通信するインターフェースであり、マイコン１２からの指示及び情報を、充電装置１の通信部６に送信し、又、充電装置１のサブマイコン３からの指示及び情報を、マイコン１２に送信する。
【００２７】
電源制御回路１６は、バッテリ部１７の電源電圧を制御する回路であり、充電装置１から供給された充電電圧をバッテリ部７に供給し、バッテリ部７を充電させる。また、電源制御回路１６は、バッテリ部１７に充電された電圧を携帯型プレーヤ１１の各部に供給する。
【００２８】
バッテリ部１７は、携帯型プレーヤ１１を駆動するための電圧を充電するものである。
【００２９】
接続部２０は、充電装置１の接続部７と接続するためのコネクタである。接続部２０は、サブマイコン３及びマイコン１２間の制御信号を、接続部７との間で送受信する。また、接続部２０は、電源回路８によって生成される充電電圧が接続部７から供給される。
【００３０】
次に、図２を参照し、メインマイコン２、サブマイコン３、及び、マイコン１２の処理を説明する。
【００３１】
携帯型プレーヤ１１が充電装置１に未接続の状態では、メインマイコン２及びサブマイコン３は低消費電力状態である（Ｓ１、３１）。ユーザは、携帯型プレーヤ１１を充電するために、携帯型プレーヤ１１を充電装置１に接続する。この時、メインマイコン２は、接続部７に携帯型プレーヤ１１の接続部２０が接続されたことを検出する（Ｓ２）。詳細には、メインマイコン２は低消費電力状態であるので、図示しない接続検出回路から割込信号がメインマイコン２に入力される。接続検出に応答して、メインマイコン２は、低消費電力状態から通常状態に移行する（Ｓ３）。
【００３２】
メインマイコン２は、充電電圧を携帯型プレーヤ１１のバッテリ部１７に供給するように電源回路８及び電源供給回路９を制御する。これにより、携帯型プレーヤ１１は、バッテリ部１７への充電を開始する。なお、マイコン１２によって、バッテリ部１７の充電状態（充電中、又は、充電完了）が常時監視されている。
【００３３】
メインマイコン２は、サブマイコン３に通常状態に移行する指示を送信する（Ｓ４）。サブマイコン３は、メインマイコン２から通常状態に移行する指示を受信すると、低消費電力状態から通常状態に移行する（Ｓ３２）。この後、メインマイコン２から低消費電力状態に移行する指示を受信するまで、サブマイコン３は通常状態を継続する。
【００３４】
メインマイコン２は、携帯型プレーヤ１１の充電状態を確認する指示をサブマイコン３に送信する（Ｓ５）。サブマイコン３は、メインマイコン２から携帯型プレーヤ１１の充電状態を確認する指示を受信すると、充電状態の問い合わせを携帯型プレーヤ１１のマイコン１２に送信する（Ｓ３３）。マイコン１２は、サブマイコン３から充電状態の問い合わせを受信すると、充電状態情報（充電中、又は、充電完了）をサブマイコン３に返信する（Ｓ５１）。サブマイコン３は、マイコン１２から充電状態情報を受信すると、充電状態情報をメインマイコン２に返信する（Ｓ３４）。
【００３５】
メインマイコン２は、サブマイコン３から充電状態情報を受信すると、充電状態情報に基づいて、携帯型プレーヤ１１が充電完了したか否かを判断する（Ｓ６）。携帯型プレーヤ１１が未だ充電中であれば（Ｓ６でＮＯ）、メインマイコン２は、通常状態から低消費電力状態に移行する（Ｓ７）。メインマイコン２は、低消費電力状態になる際に、内蔵のタイマ回路によってタイマのカウントを開始し、低消費電力状態に移行してから所定時間（例えば、１０秒）が経過したか否かを判断する（Ｓ８）。すなわち、低消費電力状態では、メインマイコン２は、充電装置１の各部を制御することはできないが、所定時間をカウントすることは可能である。所定時間経過するまでの間は、メインマイコン２は低消費電力状態であるので、携帯型プレーヤ１１が充電中にメインマイコン２の消費電力を低減することができる。
【００３６】
低消費電力状態に移行してから所定時間が経過すると（Ｓ８でＹＥＳ）、メインマイコン２は、低消費電力状態から通常状態に移行する（Ｓ９）。そして、Ｓ５に戻って、メインマイコン２は、携帯型プレーヤ１１の充電状態を確認する指示をサブマイコン３に送信する等のＳ５〜Ｓ９の処理を繰り返す。つまり、携帯型プレーヤ１１が充電中の間、Ｓ６においてＮＯと判断され続けるので、メインマイコン２は、通常は低消費電力状態であり消費電力を低減しているが、所定時間（例えば１０秒）毎に、低消費電力状態から通常状態に移行して、サブマイコン３を介して携帯型プレーヤ１１の充電状態を確認した後、低消費電力状態に戻るという動作を継続する。
【００３７】
携帯型プレーヤ１１の充電が完了したと判断されると（Ｓ６でＹＥＳ）、メインマイコン２は、サブマイコン３に通常状態に移行する指示を送信する（Ｓ１０）。また、メインマイコン２は、充電電圧を携帯型プレーヤ１１に供給しないように電源回路８及び電源供給回路９を制御する。サブマイコン３は、メインマイコン２からの低消費電力状態に移行する指示に応じて、通常状態から低消費電力状態に移行する（Ｓ３５）。その後、メインマイコン２も、通常状態から低消費電力状態に移行する（Ｓ１１）。従って、携帯型プレーヤ１１の充電完了後には、メインマイコン２及びサブマイコン３は、低消費電力状態に移行して、低消費電力状態を継続するので、消費電力を低減することができる。
【００３８】
以上のように、本実施形態によると、携帯型プレーヤ１１の充電中には、サブマイコン３のみが通常状態を継続し、メインマイコン２は、通常は低消費電力状態であり、携帯型プレーヤ１１の充電状態を確認するときのみ通常状態になるので、メインマイコン２の消費電力を低減することができる。
【００３９】
なお、携帯型プレーヤ１１が充電状態の代わりに現在の充電済の充電量（現在の充電レベル）を充電装置１に送信し、メインマイコン２が、現在の充電済の充電量に基づいて携帯型プレーヤ１１の充電状態を判断してもよい。この場合、メインマイコン２は現在の充電済の充電量が最大値である場合に携帯型プレーヤ１１が充電完了していると判断し、充電済の充電量が最大値でない場合に携帯型プレーヤ１１が充電中であると判断する。
【００４０】
次に、本発明の別の好ましい実施形態を説明する。本例では、メインマイコン２が図２のＳ７で低消費電力状態に移行してから、次に通常状態に移行し携帯型プレーヤ１１の充電状態を確認するまでの所定時間が、携帯型プレーヤ１１の現在の充電済みの充電量に関する充電情報（例えば、充電率）に応じて決定される。ここで充電率とは、バッテリ部７の最大充電容量に対する現在の充電済の充電量を示し、すなわち、１００×現在の充電済の充電量／最大充電容量（％）で表される。なお、充電率は、携帯型プレーヤ１１のマイコン１２によって常時算出されており、充電状態情報と共にサブマイコン３に返信される。又は、携帯型プレーヤ１１のマイコン１２は、現在の充電済の充電量と、最大充電容量とを充電装置１に送信し、メインマイコン２が充電率を算出する。
【００４１】
ＲＯＭ５には、図３に示す所定時間テーブルが格納されている。所定時間テーブルは、充電率に対する所定時間が予め登録されるテーブルである。図３では、充電率が５０％未満の場合には所定時間は１時間であり、充電率が５０％以上９０％未満である場合には所定時間は３０分であり、充電率が９０％以上である場合には所定時間は１０秒である。つまり、充電率が高くなる程所定時間が短くなり、メインマイコン２がより頻繁に低消費電力状態から通常状態に移行し、携帯型プレーヤ１１の充電状態を確認する。すなわち、充電率が高い場合には、携帯型プレーヤ１１が充電完了するまでの時間が短いので、頻繁に充電状態を確認する必要があるからである。また、充電率が低い場合には、携帯型プレーヤ１１が充電完了するまでの時間が長いので、頻繁に充電状態を確認すると、無駄にメインマイコン２が通常状態に移行する必要が生じ、メインマイコン２の消費電力が増大するからである。なお、所定時間テーブルをＲＯＭ５に格納しておく代わりに、メインマイコン２のプログラム内に所定時間テーブルの条件式が含まれていてもよい。
【００４２】
図４は、本例の処理を示すフローチャートであり、図２と同一処理には同一符号を付し、説明を省略する。
【００４３】
Ｓ５において、メインマイコン２は、携帯型プレーヤ１１の充電状態を確認する指示をサブマイコン３に送信する。サブマイコン３は、メインマイコン２から携帯型プレーヤ１１の充電状態を確認する指示を受信すると、充電状態の問い合わせを携帯型プレーヤ１１のマイコン１２に送信する（Ｓ３３）。マイコン１２は、サブマイコン３から充電状態の問い合わせを受信すると、充電状態情報（充電中、又は、充電完了）及び充電率をサブマイコン３に返信する（Ｓ１５１）。サブマイコン３は、マイコン１２から充電状態情報及び充電率を受信すると、充電状態情報及び充電率をメインマイコン２に返信する（Ｓ１３４）。
【００４４】
メインマイコン２は、サブマイコン３から充電状態情報及び充電率を受信すると、充電状態情報に基づいて、携帯型プレーヤ１１が充電完了したか否かを判断する（Ｓ６）。携帯型プレーヤ１１が未だ充電中であれば（Ｓ６でＮＯ）、メインマイコン２は、受信した充電率に基づいて所定時間を決定する（Ｓ１０１）。詳細には、図３の所定時間テーブルを参照し、例えば、充電率が５０％未満の場合には所定時間を１時間に決定し、充電率が５０％以上９０％未満である場合には所定時間は３０分に決定し、充電率が９０％以上である場合には所定時間は１０秒に決定する。
【００４５】
その後、メインマイコン２は、通常状態から低消費電力状態に移行する（Ｓ７）。メインマイコン２は、低消費電力状態になる際に、内蔵のタイマ回路によってタイマのカウントを開始し、低消費電力状態に移行してからＳ１０１で決定した所定時間が経過したか否かを判断する（Ｓ８）。所定時間が経過した場合には（Ｓ８でＹＥＳ）、低消費電力状態から通常状態に移行し（Ｓ９）、Ｓ５に戻る。以降の処理、図２の処理と同じである。
【００４６】
以上のように、本例によると、携帯型プレーヤ１１の充電率に応じて、メインマイコン２が低消費電力状態から通常状態に移行し、携帯型プレーヤ１１の充電状態を確認するまでの所定時間が決定される。すなわち、携帯型プレーヤ１１の充電率が高い場合には、より頻繁にメインマイコン２が携帯型プレーヤ１１の充電状態を確認するので、携帯型プレーヤ１１が充電完了したにも関わらず、メインマイコン２が充電完了を認識できずに、サブマイコン３が長時間通常状態を無駄に継続し、消費電力が増大することを防止できる。一方、携帯型プレーヤ１１の充電率が低い場合には、メインマイコン２が頻繁に充電状態を確認することがないので、メインマイコン２が低消費電力状態を継続する時間が長くなり、消費電力をより低減することができる。
【００４７】
以上、本発明の好ましい実施形態を説明したが、本発明はこれらの実施形態には限定されない。充電率の代わりに、充電完了時までの残時間に基づいて、所定時間を決定してもよい。充電完了までの残時間が短い方が、所定時間が短くなるように設定される。充電完了時までの残時間は、携帯型プレーヤ１１の現在の充電済みの充電量に関する充電情報の一種である。充電率の代わりに、携帯型プレーヤ１１の現在の充電済みの充電量に基づいて、所定時間を決定してもよい。本発明は、上記のメインマイコン２又はサブマイコン３の動作をメインマイコン２又はサブマイコン３に実行させるためのプログラムまたはそのプログラムを記録した記録媒体という形態で提供されてもよい。メインマイコン２又はサブマイコン３という形態が提供されてもよい。充電装置１は、ＡＶアンプ等のオーディオ機器に内蔵されていてもよい。充電装置１によって充電される電子機器は、携帯電話、デジタルカメラ、携帯ゲーム機であってもよい。
【産業上の利用可能性】
【００４８】
本発明はコンテンツ再生装置の充電装置に好適に適用され得る。
【符号の説明】
【００４９】
１          充電装置
２          メインマイコン
３          サブマイコン
４          ＲＡＭ
５          ＲＯＭ
６          通信部
７          接続部
８          電源回路
９          電源供給回路
１１        携帯型プレーヤ
１２        マイコン
１３        ＲＡＭ
１４        ＲＯＭ
１５        通信部
１６        電源制御回路
１７        バッテリ部
１８        ＨＤＤ
１９        再生部
２０        接続部
【図１】
2011014126.tif 000003
【図２】
2011014126.tif 000004
【図３】
2011014126.tif 000005
【図４】
2011014126.tif 000006